【手続補正書】
【提出日】平成17年3月24日(2005.3.24)
【手続補正１】
【補正対象書類名】明細書
【補正対象項目名】発明の名称
【補正方法】変更
【補正の内容】
【発明の名称】無線装置及び移動無線端末
【手続補正２】
【補正対象書類名】明細書
【補正対象項目名】特許請求の範囲
【補正方法】変更
【補正の内容】
【特許請求の範囲】
【請求項１】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、
前記マルチパス経由で受信された拡散信号を相関器で逆拡散して得た相関値からマルチパスを検索するパスサーチ手段と、
前記パスサーチ手段によるパスサーチ結果を格納するパステーブルと、
前記基地局から下り個別制御チャネルを用いて各移動局に個別に通知される当該基地局と移動局との間のマルチパス環境を反映したマルチパス情報を受信する受信手段と、
前記基地局から通知された前記マルチパス情報に基づき前記パスサーチ手段のパスサーチ制御値を可変設定すると共に、該可変設定後のパスサーチにより前記パステーブルに格納されたパスサーチ結果または前記基地局から通知されたマルチパス情報に基づき前記逆拡散手段の逆拡散制御値を可変設定するマルチパス制御値設定手段と
を具備することを特徴とする移動無線端末。
【請求項２】
前記マルチパス情報は、先頭波パスからの相対遅延量、最大レベルパスからの相対遅延量、遅延の広がり、マルチパスのパス数の少なくともいずれか１つである
ことを特徴とする請求項１記載の移動無線端末。
【請求項３】
前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定する
ことを特徴とする請求項２記載の移動無線端末。
【請求項４】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、
前記マルチパス経由で受信された拡散信号を相関器で逆拡散して得た相関値からマルチパスを検索するパスサーチ手段と、
前記パスサーチ手段によるパスサーチ結果を格納するパステーブルと、
前記基地局から下り報知チャネルを用いて該基地局のサービスエリア内の全ての移動局に報知される当該サービスエリアの受信難易度を示す受信難易度情報を受信する受信手段と、
前記基地局から報知された前記受信難易度情報に基づき前記パスサーチ手段のパスサーチ制御値を可変設定すると共に、該可変設定後のパスサーチにより前記パステーブルに格納されたパスサーチ結果または前記基地局から通知された受信難易度情報に基づき前記逆拡散手段の逆拡散制御値を可変設定するマルチパス制御値設定手段と
を具備することを特徴とする移動無線端末。
【請求項５】
前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定する
ことを特徴とする請求項４記載の移動無線端末。
【請求項６】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、
前記マルチパス経由で受信された拡散信号を相関器で逆拡散して得た相関値からマルチパスを検索するパスサーチ手段と、
前記パスサーチ手段によるパスサーチ結果を格納するパステーブルと、
自端末の位置を検出する位置情報検出手段と、
前記基地局から下り報知チャネルを用いて該基地局のサービスエリア内の全ての移動局に報知される当該サービスエリア内の受信難地点の位置を示す受信難地点位置情報を受信する受信手段と、
前記位置情報検出手段により検出された自端末の位置が、前記基地局から報知された受信難地点位置情報に対応する地点から所定距離まで近づいたか否かを判定する判定手段と、
前記判定手段により前記所定距離まで近づいたと判定された場合、前記基地局から報知された前記受信難地点位置情報に基づき前記パスサーチ手段のパスサーチ制御値を可変設定すると共に、該可変設定後のパスサーチにより前記パステーブルに格納されたパスサーチ結果または前記基地局から通知された受信難地点位置情報に基づき前記逆拡散手段の逆拡散制御値を可変設定するマルチパス制御値設定手段と
を具備することを特徴とする移動無線端末。
【請求項７】
前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定する
ことを特徴とする請求項６記載の移動無線端末。
【請求項８】
前記判定手段により前記所定距離まで近づいたと判定された場合、前記基地局に送信電力を増大させるように指示する指示手段
を具備することを特徴とする請求項６記載の移動無線端末。
【請求項９】
前記判定手段により前記所定距離まで近づいたと判定された場合、その旨の警報を報知する警報報知手段
を具備することを特徴とする請求項６記載の移動無線端末。
【請求項１０】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記基地局として用いる無線装置において、
前記移動局との間のマルチパス環境を反映したマルチパス情報を下り個別制御チャネルを用いて各移動局に個別に通知する通知手段
を具備することを特徴とする無線装置。
【請求項１１】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記基地局として用いる無線装置において、
自装置のサービスエリアの受信難易度を示す受信難易度情報を、下り報知チャネルを用いて当該サービスエリア内の全ての移動局に報知する報知手段
を具備することを特徴とする無線装置。
【請求項１２】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記基地局として用いる無線装置において、
自装置のサービスエリア内の受信難地点の位置を示す受信難地点位置情報を、下り報知チャネルを用いて当該サービスエリア内の全ての移動局に報知する報知手段
を具備することを特徴とする無線装置。
【手続補正３】
【補正対象書類名】明細書
【補正対象項目名】０００１
【補正方法】変更
【補正の内容】
【０００１】
【発明の属する技術分野】
本発明は、基地局と、該基地局からマルチパス経由で受信される拡散信号を各々逆拡散し、該各逆拡散出力を同期検波して合成する機能を有する移動局とから成る符号分割多元接続方式の無線通信システムにおいて、前記基地局として用いられ、受信環境情報を各移動局に伝送する機能を有する無線装置、及び前記移動局として用いられ、前記基地局から伝送される受信環境情報に基づくマルチパスサーチ制御機能を有する移動無線端末に関する。
【手続補正４】
【補正対象書類名】明細書
【補正対象項目名】００１１
【補正方法】変更
【補正の内容】
【００１１】
本発明は上記問題点を除去し、受信環境に合った効率の良いパスサーチを行うことができ、パスサーチの高速化、消費電力低減を図りながら良好な受信品質を得ることのできる無線通信システムを構築可能な無線装置及び移動無線端末を提供することを目的とする。
【手続補正５】
【補正対象書類名】明細書
【補正対象項目名】００１２
【補正方法】変更
【補正の内容】
【００１２】
【課題を解決するための手段】
上記目的を達成するために、請求項１記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、前記マルチパス経由で受信された拡散信号を相関器で逆拡散して得た相関値からマルチパスを検索するパスサーチ手段と、前記パスサーチ手段によるパスサーチ結果を格納するパステーブルと、前記基地局から下り個別制御チャネルを用いて各移動局に個別に通知される当該基地局と移動局との間のマルチパス環境を反映したマルチパス情報を受信する受信手段と、前記基地局から通知された前記マルチパス情報に基づき前記パスサーチ手段のパスサーチ制御値を可変設定すると共に、該可変設定後のパスサーチにより前記パステーブルに格納されたパスサーチ結果または前記基地局から通知されたマルチパス情報に基づき前記逆拡散手段の逆拡散制御値を可変設定するマルチパス制御値設定手段とを具備することを特徴とする。
【手続補正６】
【補正対象書類名】明細書
【補正対象項目名】００１３
【補正方法】変更
【補正の内容】
【００１３】
請求項２記載の発明は、上記請求項１記載の発明において、前記マルチパス情報は、先頭波パスからの相対遅延量、最大レベルパスからの相対遅延量、遅延の広がり、マルチパスのパス数の少なくともいずれか１つであることを特徴とする。
【手続補正７】
【補正対象書類名】明細書
【補正対象項目名】００１４
【補正方法】変更
【補正の内容】
【００１４】
請求項３記載の発明は、上記請求項２記載の発明において、前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定することを特徴とする。
【手続補正８】
【補正対象書類名】明細書
【補正対象項目名】００１５
【補正方法】変更
【補正の内容】
【００１５】
請求項４記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、前記マルチパス経由で受信された拡散信号を相関器で逆拡散して得た相関値からマルチパスを検索するパスサーチ手段と、前記パスサーチ手段によるパスサーチ結果を格納するパステーブルと、前記基地局から下り報知チャネルを用いて該基地局のサービスエリア内の全ての移動局に報知される当該サービスエリアの受信難易度を示す受信難易度情報を受信する受信手段と、前記基地局から報知された前記受信難易度情報に基づき前記パスサーチ手段のパスサーチ制御値を可変設定すると共に、該可変設定後のパスサーチにより前記パステーブルに格納されたパスサーチ結果または前記基地局から通知された受信難易度情報に基づき前記逆拡散手段の逆拡散制御値を可変設定するマルチパス制御値設定手段とを具備することを特徴とする。
【手続補正９】
【補正対象書類名】明細書
【補正対象項目名】００１６
【補正方法】変更
【補正の内容】
【００１６】
請求項５記載の発明は、上記請求項４記載の発明において、前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定することを特徴とする。
【手続補正１０】
【補正対象書類名】明細書
【補正対象項目名】００１７
【補正方法】変更
【補正の内容】
【００１７】
請求項６記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、前記マルチパス経由で受信された拡散信号を相関器で逆拡散して得た相関値からマルチパスを検索するパスサーチ手段と、前記パスサーチ手段によるパスサーチ結果を格納するパステーブルと、自端末の位置を検出する位置情報検出手段と、前記基地局から下り報知チャネルを用いて該基地局のサービスエリア内の全ての移動局に報知される当該サービスエリア内の受信難地点の位置を示す受信難地点位置情報を受信する受信手段と、前記位置情報検出手段により検出された自端末の位置が、前記基地局から報知された受信難地点位置情報に対応する地点から所定距離まで近づいたか否かを判定する判定手段と、前記判定手段により前記所定距離まで近づいたと判定された場合、前記基地局から報知された前記受信難地点位置情報に基づき前記パスサーチ手段のパスサーチ制御値を可変設定すると共に、該可変設定後のパスサーチにより前記パステーブルに格納されたパスサーチ結果または前記基地局から通知された受信難地点位置情報に基づき前記逆拡散手段の逆拡散制御値を可変設定するマルチパス制御値設定手段とを具備することを特徴とする。
【手続補正１１】
【補正対象書類名】明細書
【補正対象項目名】００１８
【補正方法】変更
【補正の内容】
【００１８】
請求項７記載の発明は、上記請求項６記載の発明において、前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定することを特徴とする。
【手続補正１２】
【補正対象書類名】明細書
【補正対象項目名】００１９
【補正方法】変更
【補正の内容】
【００１９】
請求項８記載の発明は、上記請求項６記載の発明において、前記判定手段により前記所定距離まで近づいたと判定された場合、前記基地局に送信電力を増大させるように指示する指示手段を具備することを特徴とする。
【手続補正１３】
【補正対象書類名】明細書
【補正対象項目名】００２０
【補正方法】変更
【補正の内容】
【００２０】
請求項９記載の発明は、上記請求項６記載の発明において、前記判定手段により前記所定距離まで近づいたと判定された場合、その旨の警報を報知する警報報知手段を具備することを特徴とする。  
請求項１０記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記基地局として用いる無線装置において、前記移動局との間のマルチパス環境を反映したマルチパス情報を下り個別制御チャネルを用いて各移動局に個別に通知する通知手段を具備することを特徴とする。  
請求項１１記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記基地局として用いる無線装置において、自装置のサービスエリアの受信難易度を示す受信難易度情報を、下り報知チャネルを用いて当該サービスエリア内の全ての移動局に報知する報知手段を具備することを特徴とする。  
請求項１２記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記基地局として用いる無線装置において、自装置のサービスエリア内の受信難地点の位置を示す受信難地点位置情報を、下り報知チャネルを用いて当該サービスエリア内の全ての移動局に報知する報知手段を具備することを特徴とする。